(57)【要約】      （修正有）【課題】便利な持ち帰り用の箱を提供する。【解決手段】蓋１０を閉じることによって第二スプライン軸４１と第一スプライン軸３９とが噛み合う。モーターを始動し、モーターが第二回転軸と、第一プーリと、リングと第一ネジボルトを回転連動させ、リングが第一永久磁石を回転連動させ、第一永久磁石は第二回転軸から離れて環状金属と接触する。環状金属は磁力を発生して第二永久磁石を吸引し、第二永久磁石はラックを環状金属に接近連動させ、ラックが円形歯車を回転連動させ、円形歯車は第二押板に小三角を内側へ押させ、同時に第一ネジボルトが第一押しブロックを連動させて中へ押し込ませ、第一押しブロックが重なった小三角を押し、凹み跡を形成して簡単な貼り付けを行う。【選択図】図１
2020169054.tif 000002
【特許請求の範囲】
【請求項１】
箱を含み、前記箱の中には上へ開口する第一チャンバの底壁には第二スライドチャンバが連通して設置されており、前記第二スライドチャンバの中には押し棒がスライドできるように設置されており、前記第一チャンバの左右の端壁には第三スライドチャンバが前後に対称的に連通して設置されており、前記第三スライドチャンバの中には第一押板がスライドできるように設置されており、前記第一押板と前記押し棒の間には液圧パイプが伝動できるように設置されており、前記第三スライドチャンバの底壁にはリセットスライド溝が連通して設置されており、前記リセットスライド溝の中には前記第一押板と固定的に接続される第二スライダがスライドできるように設置されており、前記第二スライダと前記リセットスライド溝の左端壁の間には第二撥条が固定的に接続されており、前記第一チャンバの前後端壁には第四チャンバが連通して設置されており、前記第四チャンバの外側端壁の中には回転チャンバが設置されており、前記回転チャンバの外側の端壁の中には第二チャンバが設置されており、前記第二チャンバの外側の端壁にはモーターが固定的に設置されており、前記第四スライドチャンバと前記第二チャンバの間には前記モーターと伝動できるように接続される第二回転軸が回転できるように設置されており、前記第四スライドチャンバの中の第二回転軸の末端には第一ネジボルトが固定的に設置されており、前記第四スライドチャンバの中には第一押しブロックがスライドできるように設置されており、前記第一押しブロックの中には前記第一ネジボルトと噛み合う第一内ネジ山が設置されており、前記回転チャンバの中の前記第二回転軸にはリングが固定的に設置されており、前記回転チャンバの中には第一永久磁石が上下に対称にスライドできるように設置されており、前記第一永久磁石と前記リングの間には第三撥条が固定的に接続されており、前記回転チャンバの外側には環状金属が固定的に設置されており、前記第二チャンバの中の前記第二回転軸には第一プーリが固定的に設置されている；押し棒が押板をスライド連動させ、モーター６０が第一押しブロックを内方に押圧駆動することを特徴とする便利な持ち帰り用の箱。
【請求項２】
前記第四スライドチャンバの上下端壁の中には前記第一チャンバに連通する第三チャンバが対称的に設置されており、前記第三チャンバと前記回転チャンバの間には第五スライドチャンバが連通して設置されており、前記第三チャンバの中には第三回転軸が回転できるように設置されており、前記第三回転軸には円形歯車及び前記円形歯車の左側に位置する第一固定輪が固定的に設置されており、前記第一固定輪には前記第一チャンバの中に伸びている第二押板が固定的に設置されており、前記第五スライドチャンバの中には前記円形歯車と噛み合うラックがスライドできるように設置されており、前記ラックのうち前記環状金属に近接する一端には第二永久磁石が固定的に設置されており、前記第二永久磁石と前記環状金属の間には第四撥条が固定的に接続されている；第一永久磁石がラックを回転連動させ、ラックが円形歯車を回転連動させ、円形歯車が第二押板を内方に傾いて回転連動させる請求項１に記載の便利な持ち帰り用の箱。
【請求項３】
前記箱の右端壁の中には前記第二チャンバに連通する第四チャンバが設置されており、前記第四チャンバの中には第四回転軸が回転できるように設置されており、前記第四回転軸の前後両端には第二プーリが設置されており、前記第二プーリと前記第一プーリとは第一ベルトによって接続され、前記第四回転軸の中間には第一傘歯車が固定的に設置されており、前記第一傘歯車の上端には第二傘歯車が噛み合って設置されており、前記第二傘歯車の中心には上端が外部空間に位置する第一スプライン軸が固定的に設置されており、前記箱の左端壁の頂端には第五チャンバが設置されており、前記第五チャンバの中には第五回転軸が回転できるように設置されており、前記第五回転軸には第二固定輪が固定的に設置されており、前記第二固定輪には蓋が固定的に設置されており、前記蓋において前記第一チャンバの中心の端壁の中には下へ開口する第六チャンバが設置されており、前記第六チャンバの右端壁の中には下へ開口する第七チャンバが設置されており、前記第七チャンバと前記第六チャンバの間には連通溝が連通して設置されており、前記第七チャンバの頂壁の中には前記第一スプライン軸と噛み合う第二スプライン軸が回転できるように設置されており、前記第二スプライン軸には第三プーリが固定的に設置されており、前記第六チャンバの頂壁の中には第六回転軸が回転できるように設置されており、前記第六回転軸には第四プーリが固定的に設置されており、前記第四プーリと前記第三プーリとが第二ベルトによって接続され、前記第四プーリの底端には第二ネジボルトが固定的に設置されており、前記第六チャンバの底端には第二押しブロックがスライドできるように設置されており、前記第二押しブロックの中には前記ネジボルトと噛み合う第二内ネジ山が設置されている；モーターが第二ネジボルトを回転駆動し、第二ネジボルトが第二押しブロックを下にスライド連動させる請求項１に記載の便利な持ち帰り用の箱。
【発明の詳細な説明】
【技術分野】
【０００１】
本発明は物品のパッキング分野を取り上げて、具体的には便利な持ち帰り用の箱である。
【背景技術】
【０００２】
レストランなどでご飯を持ち帰る場合、箱に対して保温する必要があり、人工によって錫箔を使って箱の外周を包むのは一般のやり方であるが、錫箔の使い過ぎや環境保護上の不足の欠点が存在する；それに、手動によるパッキングは外観が整っていなく、整体性が悪く、美観に影響をもたらす；そのため、便利な持ち帰り用の箱を設計して上記の問題を解決する必要がある。
【先行技術文献】
【特許文献】
【０００３】
【特許文献１】中国特許出願公開第１０５４６０３５５号明細書
【発明の概要】
【発明が解決しようとする課題】
【０００４】
本発明は解決すべきの技術問題は便利な持ち帰り用の箱を提供し、上記現有技術の問題を解決できる。
【課題を解決するための手段】
【０００５】
本発明の便利な持ち帰り用の箱は、箱を含み、前記箱の中には上へ開口する第一チャンバが設置されており、前記第一チャンバの左右の端壁には第一スライドチャンバが連通して設置されており、前記第一スライドチャンバの中には第一スライダがスライドできるように設置されており、前記第一スライダと前記第一スライドチャンバの外側の端壁の間には第一撥条が固定的に接続されており、前記第一スライダの中には溝が設置されており、前記溝の前後の端壁の間には第一回転軸が回転できるように設置されており、前記第一回転軸には転輪が固定的に設置されており、前記第一チャンバの底壁には第二スライドチャンバが連通して設置されており、前記第二スライドチャンバの中には押し棒がスライドできるように設置されており、前記第一チャンバの左右の端壁には第三スライドチャンバが前後に対称的に連通して設置されており、前記第三スライドチャンバの中には第一押板がスライドできるように設置されており、前記第一押板と前記押し棒の間には液圧パイプが伝動できるように設置されており、前記第三スライドチャンバの底壁にはリセットスライド溝が連通して設置されており、前記リセットスライド溝の中には前記第一押板と固定的に接続される第二スライダがスライドできるように設置されており、前記第二スライダと前記リセットスライド溝の左端壁の間には第二撥条が固定的に接続されており、前記第一チャンバの前後端壁には第四チャンバが連通して設置されており、前記第四チャンバの外側端壁の中には回転チャンバが設置されており、前記回転チャンバの外側の端壁の中には第二チャンバが設置されており、前記第二チャンバの外側の端壁にはモーターが固定的に設置されており、前記第四スライドチャンバと前記第二チャンバの間には前記モーターと伝動できるように接続される第二回転軸が回転できるように設置されており、前記第四スライドチャンバの中の第二回転軸の末端には第一ネジボルトが固定的に設置されており、前記第四スライドチャンバの中には第一押しブロックがスライドできるように設置されており、前記第一押しブロックの中には前記第一ネジボルトと噛み合う第一内ネジ山が設置されており、前記回転チャンバの中の前記第二回転軸にはリングが固定的に設置されており、前記回転チャンバの中には第一永久磁石が上下に対称にスライドできるように設置されており、前記第一永久磁石と前記リングの間には第三撥条が固定的に接続されており、前記回転チャンバの外側には環状金属が固定的に設置されており、前記第二チャンバの中の前記第二回転軸には第一プーリが固定的に設置されている。
【０００６】
更なる技術方案、前記第四スライドチャンバの上下端壁の中には前記第一チャンバに連通する第三チャンバが対称的に設置されており、前記第三チャンバと前記回転チャンバの間には第五スライドチャンバが連通して設置されており、前記第三チャンバの中には第三回転軸が回転できるように設置されており、前記第三回転軸には円形歯車及び前記円形歯車の左側に位置する第一固定輪が固定的に設置されており、前記第一固定輪には前記第一チャンバの中に伸びている第二押板が固定的に設置されており、前記第五スライドチャンバの中には前記円形歯車と噛み合うラックがスライドできるように設置されており、前記ラックのうち前記環状金属に近接する一端には第二永久磁石が固定的に設置されており、前記第二永久磁石と前記環状金属の間には第四撥条が固定的に接続されている。
【０００７】
更なる技術方案、前記箱の右端壁の中には前記第二チャンバに連通する第四チャンバが設置されており、前記第四チャンバの中には第四回転軸が回転できるように設置されており、前記第四回転軸の前後両端には第二プーリが設置されており、前記第二プーリと前記第一プーリとは第一ベルトによって接続され、前記第四回転軸の中間には第一傘歯車が固定的に設置されており、前記第一傘歯車の上端には第二傘歯車が噛み合って設置されており、前記第二傘歯車の中心には上端が外部空間に位置する第一スプライン軸が固定的に設置されており、前記箱の左端壁の頂端には第五チャンバが設置されており、前記第五チャンバの中には第五回転軸が回転できるように設置されており、前記第五回転軸には第二固定輪が固定的に設置されており、前記第二固定輪には蓋が固定的に設置されており、前記蓋において前記第一チャンバの中心の端壁の中には下へ開口する第六チャンバが設置されており、前記第六チャンバの右端壁の中には下へ開口する第七チャンバが設置されており、前記第七チャンバと前記第六チャンバの間には連通溝が連通して設置されており、前記第七チャンバの頂壁の中には前記第一スプライン軸と噛み合う第二スプライン軸が回転できるように設置されており、前記第二スプライン軸には第三プーリが固定的に設置されており、前記第六チャンバの頂壁の中には第六回転軸が回転できるように設置されており、前記第六回転軸には第四プーリが固定的に設置されており、前記第四プーリと前記第三プーリとが第二ベルトによって接続され、前記第四プーリの底端には第二ネジボルトが固定的に設置されており、前記第六チャンバの底端には第二押しブロックがスライドできるように設置されており、前記第二押しブロックの中には前記ネジボルトと噛み合う第二内ネジ山が設置されている。
【発明の効果】
【０００８】
本発明の有益な効果は下記の通りである：
【０００９】
本発明の便利な持ち帰り用の箱は反応が早く、素早く便利であり、操作が簡単明瞭；同時に、本発明の装置は簡潔上品、適用の場合は幅広く実用性が強い。
【図面の簡単な説明】
【００１０】
便利に叙述するように、本発明は下記の具体的な実施例及び付図によって詳しく説明する。
【図１】図１は本発明の便利な持ち帰り用の箱の全体構成模式図であり；
【図２】図２は図１のＡ−Ａの構成模式図であり；
【図３】図３は図２のＢの拡大構成模式図である。
【発明を実施するための形態】
【００１１】
本説明書により公開されるすべての特徴、或いは公開されるすべての方法或いは過程中の順序は、互いに排斥する特徴或いは順序以外、いかなる方法で組み合わせる。
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示されるように、本発明の便利な持ち帰り用の箱は、箱２７を含み、前記箱２７の中には上へ開口する第一チャンバ２６が設置されており、前記第一チャンバ２６の左右の端壁には第一スライドチャンバ１７が連通して設置されており、前記第一スライドチャンバ１７の中には第一スライダ１９がスライドできるように設置されており、前記第一スライダ１９と前記第一スライドチャンバ１７の外側の端壁の間には第一撥条１８が固定的に接続されており、前記第一スライダ１９の中には溝２０が設置されており、前記溝２０の前後の端壁の間には第一回転軸２１が回転できるように設置されており、前記第一回転軸２１には転輪２２が固定的に設置されており、前記第一チャンバ２６の底壁には第二スライドチャンバ２４が連通して設置されており、前記第二スライドチャンバ２４の中には押し棒２３がスライドできるように設置されており、前記第一チャンバ２６の左右の端壁には第三スライドチャンバ３２が前後に対称的に連通して設置されており、前記第三スライドチャンバ３２の中には第一押板３１がスライドできるように設置されており、前記第一押板３１と前記押し棒２３の間には液圧パイプ２５が伝動できるように設置されており、前記第三スライドチャンバ３２の底壁にはリセットスライド溝２８が連通して設置されており、前記リセットスライド溝２８の中には前記第一押板３１と固定的に接続される第二スライダ３０がスライドできるように設置されており、前記第二スライダ３０と前記リセットスライド溝２８の左端壁の間には第二撥条２９が固定的に接続されており、前記第一チャンバ２６の前後端壁には第四チャンバ５６が連通して設置されており、前記第四チャンバ５６の外側端壁の中には回転チャンバ４９が設置されており、前記回転チャンバ４９の外側の端壁の中には第二チャンバ５４が設置されており、前記第二チャンバ５４の外側の端壁にはモーター６０が固定的に設置されており、前記第四スライドチャンバ５６と前記第二チャンバ５４の間には前記モーター６０と伝動できるように接続される第二回転軸５９が回転できるように設置されており、前記第四スライドチャンバ５６の中の第二回転軸５９の末端には第一ネジボルト５８が固定的に設置されており、前記第四スライドチャンバ５６の中には第一押しブロック５５がスライドできるように設置されており、前記第一押しブロック５５の中には前記第一ネジボルト５８と噛み合う第一内ネジ山５７が設置されており、前記回転チャンバ４９の中の前記第二回転軸５９にはリング５２が固定的に設置されており、前記回転チャンバ４９の中には第一永久磁石５０が上下に対称にスライドできるように設置されており、前記第一永久磁石５０と前記リング５２の間には第三撥条５１が固定的に接続されており、前記回転チャンバ４９の外側には環状金属４８が固定的に設置されており、前記第二チャンバ５４の中の前記第二回転軸５９には第一プーリ５３が固定的に設置されている。
【００１４】
有益なように、前記第四スライドチャンバ５６の上下端壁の中には前記第一チャンバ２６に連通する第三チャンバ６１が対称的に設置されており、前記第三チャンバ６１と前記回転チャンバ４９の間には第五スライドチャンバ６６が連通して設置されており、前記第三チャンバ６１の中には第三回転軸６４が回転できるように設置されており、前記第三回転軸６４には円形歯車６２及び前記円形歯車６２の左側に位置する第一固定輪６３が固定的に設置されており、前記第一固定輪６３には前記第一チャンバ２６の中に伸びている第二押板６５が固定的に設置されており、前記第五スライドチャンバ６６の中には前記円形歯車６２と噛み合うラック６９がスライドできるように設置されており、前記ラック６９のうち前記環状金属４８に近接する一端には第二永久磁石６８が固定的に設置されており、前記第二永久磁石６８と前記環状金属４８の間には第四撥条６７が固定的に接続されている。
【００１５】
有益なように、前記箱２７の右端壁の中には前記第二チャンバ５４に連通する第四チャンバ３３が設置されており、前記第四チャンバ３３の中には第四回転軸３７が回転できるように設置されており、前記第四回転軸３７の前後両端には第二プーリ３５が設置されており、前記第二プーリ３５と前記第一プーリ５３とは第一ベルトによって接続され、前記第四回転軸３７の中間には第一傘歯車３６が固定的に設置されており、前記第一傘歯車３６の上端には第二傘歯車３８が噛み合って設置されており、前記第二傘歯車３８の中心には上端が外部空間に位置する第一スプライン軸３９が固定的に設置されており、前記箱２７の左端壁の頂端には第五チャンバ１４が設置されており、前記第五チャンバ１４の中には第五回転軸１６が回転できるように設置されており、前記第五回転軸１６には第二固定輪１５が固定的に設置されており、前記第二固定輪１５には蓋１０が固定的に設置されており、前記蓋１０において前記第一チャンバ２６の中心の端壁の中には下へ開口する第六チャンバ１２が設置されており、前記第六チャンバ１２の右端壁の中には下へ開口する第七チャンバ４０が設置されており、前記第七チャンバ４０と前記第六チャンバ１２の間には連通溝４３が連通して設置されており、前記第七チャンバ４０の頂壁の中には前記第一スプライン軸３９と噛み合う第二スプライン軸４１が回転できるように設置されており、前記第二スプライン軸４１には第三プーリ４２が固定的に設置されており、前記第六チャンバ１２の頂壁の中には第六回転軸１１が回転できるように設置されており、前記第六回転軸１１には第四プーリ１３が固定的に設置されており、前記第四プーリ１３と前記第三プーリ４２とが第二ベルト４４によって接続され、前記第四プーリ１３の底端には第二ネジボルト４７が固定的に設置されており、前記第六チャンバ１２の底端には第二押しブロック４５がスライドできるように設置されており、前記第二押しブロック４５の中には前記ネジボルト４７と噛み合う第二内ネジ山４６が設置されている。
【００１６】
以下、付図１−３及び上記の本願発明の多段調節の便利な持ち帰り用の箱の具体的な構造を参考してその使い方を詳しく説明する：
【００１７】
蓋１０を開け、錫箔を転輪２２の上側に置き、持ち帰り用の箱を転輪２２に載せ、箱を押し、転輪２２が外へスライドして押し棒２３を押し、これにより第一押板３１に箱の前後両端の錫箔を挟ませ、手動で頂端両側の錫箔を畳み込み、この時、箱の上下左右は錫箔に包まれ、前後の端面が小三角に形成する；
【００１８】
蓋１０を閉じ、第二スプライン軸４１と第一スプライン軸３９とが噛み合い、モーター６０を始動し、モーター６０が第二回転軸５９と、第一プーリ５３と、リング５２と第一ネジボルト５８を回転連動させ、リング５２が第一永久磁石５０を回転連動させ、第一永久磁石５０は第二回転軸５９から離れて環状金属４８を接触し、環状金属４８が接触して磁力を発生して第二永久磁石を吸引し、第二永久磁石６８はラック６９を環状金属４８に接近連動させ、ラック６９が円形歯車６２を回転連動させ、円形歯車６２は第二押板６５に小三角を内側へ押させ、同時に第一ネジボルト５８が第一押しブロック５５を連動させて中へ押し込ませ、第一押しブロック５５が重なった小三角を押し、凹み跡を形成して簡単な貼り付けを行う；
【００１９】
同時に第一プーリ５３は第二プーリ３５と、第一傘歯車３６を回転連動させ、第一傘歯車３６は第二傘歯車３８と第一スプライン軸３９を回転連動させ、第一スプライン軸３９は第二スプライン軸４１を回転連動させ、第二スプライン軸４１は第三プーリ４２を回転連動させ、第三プーリ４２は第四プーリ１３と第二ネジボルト４７を回転連動させ、第二ネジボルト４７は第二押しブロック４５を下へスライド連動させ、箱の頂端に重なった錫箔を押し、凹み跡を形成して簡単な貼り付けを行い、パッキングを完了する。
【００２０】
以上により、発明の具体実施方式だけであり、ところが、発明の保護範囲はこれには限らない、創造性労働のない考えた変化や入替えは、発明の保護範囲の中に含むべきである。
【図１】
2020169054.tif 000003
【図２】
2020169054.tif 000004
【図３】
2020169054.tif 000005
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
箱を含み、前記箱の中には上へ開口する第一チャンバが設置されており、前記第一チャンバの左右の端壁には第一スライドチャンバが連通して設置されており、前記第一スライドチャンバの中には第一スライダがスライドできるように設置されており、前記第一スライダと前記第一スライドチャンバの外側の端壁の間には第一撥条が固定的に接続されており、前記第一スライダの中には溝が設置されており、前記溝の前後の端壁の間には第一回転軸が回転できるように設置されており、前記第一回転軸には転輪が固定的に設置されており、前記第一チャンバの底壁には第二スライドチャンバが連通して設置されており、前記第二スライドチャンバの中には押し棒がスライドできるように設置されており、前記第一チャンバの左右の端壁には第三スライドチャンバが前後に対称的に連通して設置されており、前記第三スライドチャンバの中には第一押板がスライドできるように設置されており、前記第一押板と前記押し棒の間には液圧パイプが伝動できるように設置されており、前記第三スライドチャンバの底壁にはリセットスライド溝が連通して設置されており、前記リセットスライド溝の中には前記第一押板と固定的に接続される第二スライダがスライドできるように設置されており、前記第二スライダと前記リセットスライド溝の左端壁の間には第二撥条が固定的に接続されており、前記第一チャンバの前後端壁には第四チャンバが連通して設置されており、前記第四チャンバの外側端壁の中には回転チャンバが設置されており、前記回転チャンバの外側の端壁の中には第二チャンバが設置されており、前記第二チャンバの外側の端壁にはモーターが固定的に設置されており、前記第四スライドチャンバと前記第二チャンバの間には前記モーターと伝動できるように接続される第二回転軸が回転できるように設置されており、前記第四スライドチャンバの中の第二回転軸の末端には第一ネジボルトが固定的に設置されており、前記第四スライドチャンバの中には第一押しブロックがスライドできるように設置されており、前記第一押しブロックの中には前記第一ネジボルトと噛み合う第一内ネジ山が設置されており、前記回転チャンバの中の前記第二回転軸にはリングが固定的に設置されており、前記回転チャンバの中には第一永久磁石が上下に対称にスライドできるように設置されており、前記第一永久磁石と前記リングの間には第三撥条が固定的に接続されており、前記回転チャンバの外側には環状金属が固定的に設置されており、前記第二チャンバの中の前記第二回転軸には第一プーリが固定的に設置されており、
押し棒が第一押板をスライド連動させ、モーター６０が第一押しブロックを内方に押圧駆動することを特徴とする便利な持ち帰りパック設備。
【請求項２】
前記第四スライドチャンバの上下端壁の中には前記第一チャンバに連通する第三チャンバが対称的に設置されており、前記第三チャンバと前記回転チャンバの間には第五スライドチャンバが連通して設置されており、前記第三チャンバの中には第三回転軸が回転できるように設置されており、前記第三回転軸には円形歯車及び前記円形歯車の左側に位置する第一固定輪が固定的に設置されており、前記第一固定輪には前記第一チャンバの中に伸びている第二押板が固定的に設置されており、前記第五スライドチャンバの中には前記円形歯車と噛み合うラックがスライドできるように設置されており、前記ラックのうち前記環状金属に近接する一端には第二永久磁石が固定的に設置されており、前記第二永久磁石と前記環状金属の間には第四撥条が固定的に接続されており、
第一永久磁石がラックを回転連動させ、ラックが円形歯車を回転連動させ、円形歯車が第二押板を内方に傾いて回転連動させる請求項１に記載の便利な持ち帰りパック設備。
【請求項３】
前記箱の右端壁の中には前記第二チャンバに連通する第四チャンバが設置されており、前記第四チャンバの中には第四回転軸が回転できるように設置されており、前記第四回転軸の前後両端には第二プーリが設置されており、前記第二プーリと前記第一プーリとは第一ベルトによって接続され、前記第四回転軸の中間には第一傘歯車が固定的に設置されており、前記第一傘歯車の上端には第二傘歯車が噛み合って設置されており、前記第二傘歯車の中心には上端が外部空間に位置する第一スプライン軸が固定的に設置されており、前記箱の左端壁の頂端には第五チャンバが設置されており、前記第五チャンバの中には第五回転軸が回転できるように設置されており、前記第五回転軸には第二固定輪が固定的に設置されており、前記第二固定輪には蓋が固定的に設置されており、前記蓋において前記第一チャンバの中心の端壁の中には下へ開口する第六チャンバが設置されており、前記第六チャンバの右端壁の中には下へ開口する第七チャンバが設置されており、前記第七チャンバと前記第六チャンバの間には連通溝が連通して設置されており、前記第七チャンバの頂壁の中には前記第一スプライン軸と噛み合う第二スプライン軸が回転できるように設置されており、前記第二スプライン軸には第三プーリが固定的に設置されており、前記第六チャンバの頂壁の中には第六回転軸が回転できるように設置されており、前記第六回転軸には第四プーリが固定的に設置されており、前記第四プーリと前記第三プーリとが第二ベルトによって接続され、前記第四プーリの底端には第二ネジボルトが固定的に設置されており、前記第六チャンバの底端には第二押しブロックがスライドできるように設置されており、前記第二押しブロックの中には前記ネジボルトと噛み合う第二内ネジ山が設置されており、
モーターが第二ネジボルトを回転駆動し、第二ネジボルトが第二押しブロックを下にスライド連動させる請求項１に記載の便利な持ち帰りパック設備。
【手続補正２】
【補正対象書類名】明細書
【補正対象項目名】全文
【補正方法】変更
【補正の内容】
【発明の詳細な説明】
【技術分野】
【０００１】
本発明は物品のパッキング分野を取り上げて、具体的には便利な持ち帰りパック設備である。
【背景技術】
【０００２】
レストランなどでご飯を持ち帰る場合、箱に対して保温する必要があり、人工によって錫箔を使って箱の外周を包むのは一般のやり方であるが、錫箔の使い過ぎや環境保護上の不足の欠点が存在する。それに、手動によるパッキングは外観が整っていなく、整体性が悪く、美観に影響をもたらす。そのため、便利な持ち帰りパック設備を設計して上記の問題を解決する必要がある。
【先行技術文献】
【特許文献】
【０００３】
【特許文献１】中国特許出願公開第１０５４６０３５５号明細書
【発明の概要】
【発明が解決しようとする課題】
【０００４】
本発明は解決すべきの技術問題は便利な持ち帰りパック設備を提供し、上記現有技術の問題を解決できる。
【課題を解決するための手段】
【０００５】
本発明の便利な持ち帰りパック設備は、箱を含み、前記箱の中には上へ開口する第一チャンバが設置されており、前記第一チャンバの左右の端壁には第一スライドチャンバが連通して設置されており、前記第一スライドチャンバの中には第一スライダがスライドできるように設置されており、前記第一スライダと前記第一スライドチャンバの外側の端壁の間には第一撥条が固定的に接続されており、前記第一スライダの中には溝が設置されており、前記溝の前後の端壁の間には第一回転軸が回転できるように設置されており、前記第一回転軸には転輪が固定的に設置されており、前記第一チャンバの底壁には第二スライドチャンバが連通して設置されており、前記第二スライドチャンバの中には押し棒がスライドできるように設置されており、前記第一チャンバの左右の端壁には第三スライドチャンバが前後に対称的に連通して設置されており、前記第三スライドチャンバの中には第一押板がスライドできるように設置されており、前記第一押板と前記押し棒の間には液圧パイプが伝動できるように設置されており、前記第三スライドチャンバの底壁にはリセットスライド溝が連通して設置されており、前記リセットスライド溝の中には前記第一押板と固定的に接続される第二スライダがスライドできるように設置されており、前記第二スライダと前記リセットスライド溝の左端壁の間には第二撥条が固定的に接続されており、前記第一チャンバの前後端壁には第四チャンバが連通して設置されており、前記第四チャンバの外側端壁の中には回転チャンバが設置されており、前記回転チャンバの外側の端壁の中には第二チャンバが設置されており、前記第二チャンバの外側の端壁にはモーターが固定的に設置されており、前記第四スライドチャンバと前記第二チャンバの間には前記モーターと伝動できるように接続される第二回転軸が回転できるように設置されており、前記第四スライドチャンバの中の第二回転軸の末端には第一ネジボルトが固定的に設置されており、前記第四スライドチャンバの中には第一押しブロックがスライドできるように設置されており、前記第一押しブロックの中には前記第一ネジボルトと噛み合う第一内ネジ山が設置されており、前記回転チャンバの中の前記第二回転軸にはリングが固定的に設置されており、前記回転チャンバの中には第一永久磁石が上下に対称にスライドできるように設置されており、前記第一永久磁石と前記リングの間には第三撥条が固定的に接続されており、前記回転チャンバの外側には環状金属が固定的に設置されており、前記第二チャンバの中の前記第二回転軸には第一プーリが固定的に設置されている。
【０００６】
更なる技術方案、前記第四スライドチャンバの上下端壁の中には前記第一チャンバに連通する第三チャンバが対称的に設置されており、前記第三チャンバと前記回転チャンバの間には第五スライドチャンバが連通して設置されており、前記第三チャンバの中には第三回転軸が回転できるように設置されており、前記第三回転軸には円形歯車及び前記円形歯車の左側に位置する第一固定輪が固定的に設置されており、前記第一固定輪には前記第一チャンバの中に伸びている第二押板が固定的に設置されており、前記第五スライドチャンバの中には前記円形歯車と噛み合うラックがスライドできるように設置されており、前記ラックのうち前記環状金属に近接する一端には第二永久磁石が固定的に設置されており、前記第二永久磁石と前記環状金属の間には第四撥条が固定的に接続されている。
【０００７】
更なる技術方案、前記箱の右端壁の中には前記第二チャンバに連通する第四チャンバが設置されており、前記第四チャンバの中には第四回転軸が回転できるように設置されており、前記第四回転軸の前後両端には第二プーリが設置されており、前記第二プーリと前記第一プーリとは第一ベルトによって接続され、前記第四回転軸の中間には第一傘歯車が固定的に設置されており、前記第一傘歯車の上端には第二傘歯車が噛み合って設置されており、前記第二傘歯車の中心には上端が外部空間に位置する第一スプライン軸が固定的に設置されており、前記箱の左端壁の頂端には第五チャンバが設置されており、前記第五チャンバの中には第五回転軸が回転できるように設置されており、前記第五回転軸には第二固定輪が固定的に設置されており、前記第二固定輪には蓋が固定的に設置されており、前記蓋において前記第一チャンバの中心の端壁の中には下へ開口する第六チャンバが設置されており、前記第六チャンバの右端壁の中には下へ開口する第七チャンバが設置されており、前記第七チャンバと前記第六チャンバの間には連通溝が連通して設置されており、前記第七チャンバの頂壁の中には前記第一スプライン軸と噛み合う第二スプライン軸が回転できるように設置されており、前記第二スプライン軸には第三プーリが固定的に設置されており、前記第六チャンバの頂壁の中には第六回転軸が回転できるように設置されており、前記第六回転軸には第四プーリが固定的に設置されており、前記第四プーリと前記第三プーリとが第二ベルトによって接続され、前記第四プーリの底端には第二ネジボルトが固定的に設置されており、前記第六チャンバの底端には第二押しブロックがスライドできるように設置されており、前記第二押しブロックの中には前記ネジボルトと噛み合う第二内ネジ山が設置されている。
【発明の効果】
【０００８】
本発明の有益な効果は下記の通りである：
【０００９】
本発明の便利な持ち帰りパック設備は反応が早く、素早く便利であり、操作が簡単明瞭。同時に、本発明の装置は簡潔上品、適用の場合は幅広く実用性が強い。
【図面の簡単な説明】
【００１０】
便利に叙述するように、本発明は下記の具体的な実施例及び付図によって詳しく説明する。
【図１】図１は本発明の便利な持ち帰りパック設備の全体構成模式図
【図２】図２は図１のＡ−Ａの構成模式図
【図３】図３は図２のＢの拡大構成模式図
【発明を実施するための形態】
【００１１】
本説明書により公開されるすべての特徴、或いは公開されるすべての方法或いは過程中の順序は、互いに排斥する特徴或いは順序以外、いかなる方法で組み合わせる。
【００１２】
以下、図１−３について本発明を詳しく説明し、便利に叙述するように、現在は後文に出る方位を下記の通りに規定する：後文に出る上下左右前後方向は図１箱の投影関係の上下左右前後方向と一致する。
【００１３】
図１−３に示されるように、本発明の便利な持ち帰りパック設備は、箱２７を含み、前記箱２７の中には上へ開口する第一チャンバ２６が設置されており、前記第一チャンバ２６の左右の端壁には第一スライドチャンバ１７が連通して設置されており、前記第一スライドチャンバ１７の中には第一スライダ１９がスライドできるように設置されており、前記第一スライダ１９と前記第一スライドチャンバ１７の外側の端壁の間には第一撥条１８が固定的に接続されており、前記第一スライダ１９の中には溝２０が設置されており、前記溝２０の前後の端壁の間には第一回転軸２１が回転できるように設置されており、前記第一回転軸２１には転輪２２が固定的に設置されており、前記第一チャンバ２６の底壁には第二スライドチャンバ２４が連通して設置されており、前記第二スライドチャンバ２４の中には押し棒２３がスライドできるように設置されており、前記第一チャンバ２６の左右の端壁には第三スライドチャンバ３２が前後に対称的に連通して設置されており、前記第三スライドチャンバ３２の中には第一押板３１がスライドできるように設置されており、前記第一押板３１と前記押し棒２３の間には液圧パイプ２５が伝動できるように設置されており、前記第三スライドチャンバ３２の底壁にはリセットスライド溝２８が連通して設置されており、前記リセットスライド溝２８の中には前記第一押板３１と固定的に接続される第二スライダ３０がスライドできるように設置されており、前記第二スライダ３０と前記リセットスライド溝２８の左端壁の間には第二撥条２９が固定的に接続されており、前記第一チャンバ２６の前後端壁には第四チャンバ５６が連通して設置されており、前記第四チャンバ５６の外側端壁の中には回転チャンバ４９が設置されており、前記回転チャンバ４９の外側の端壁の中には第二チャンバ５４が設置されており、前記第二チャンバ５４の外側の端壁にはモーター６０が固定的に設置されており、前記第四スライドチャンバ５６と前記第二チャンバ５４の間には前記モーター６０と伝動できるように接続される第二回転軸５９が回転できるように設置されており、前記第四スライドチャンバ５６の中の第二回転軸５９の末端には第一ネジボルト５８が固定的に設置されており、前記第四スライドチャンバ５６の中には第一押しブロック５５がスライドできるように設置されており、前記第一押しブロック５５の中には前記第一ネジボルト５８と噛み合う第一内ネジ山５７が設置されており、前記回転チャンバ４９の中の前記第二回転軸５９にはリング５２が固定的に設置されており、前記回転チャンバ４９の中には第一永久磁石５０が上下に対称にスライドできるように設置されており、前記第一永久磁石５０と前記リング５２の間には第三撥条５１が固定的に接続されており、前記回転チャンバ４９の外側には環状金属４８が固定的に設置されており、前記第二チャンバ５４の中の前記第二回転軸５９には第一プーリ５３が固定的に設置されている。
【００１４】
有益なように、前記第四スライドチャンバ５６の上下端壁の中には前記第一チャンバ２６に連通する第三チャンバ６１が対称的に設置されており、前記第三チャンバ６１と前記回転チャンバ４９の間には第五スライドチャンバ６６が連通して設置されており、前記第三チャンバ６１の中には第三回転軸６４が回転できるように設置されており、前記第三回転軸６４には円形歯車６２及び前記円形歯車６２の左側に位置する第一固定輪６３が固定的に設置されており、前記第一固定輪６３には前記第一チャンバ２６の中に伸びている第二押板６５が固定的に設置されており、前記第五スライドチャンバ６６の中には前記円形歯車６２と噛み合うラック６９がスライドできるように設置されており、前記ラック６９のうち前記環状金属４８に近接する一端には第二永久磁石６８が固定的に設置されており、前記第二永久磁石６８と前記環状金属４８の間には第四撥条６７が固定的に接続されている。
【００１５】
有益なように、前記箱２７の右端壁の中には前記第二チャンバ５４に連通する第四チャンバ３３が設置されており、前記第四チャンバ３３の中には第四回転軸３７が回転できるように設置されており、前記第四回転軸３７の前後両端には第二プーリ３５が設置されており、前記第二プーリ３５と前記第一プーリ５３とは第一ベルトによって接続され、前記第四回転軸３７の中間には第一傘歯車３６が固定的に設置されており、前記第一傘歯車３６の上端には第二傘歯車３８が噛み合って設置されており、前記第二傘歯車３８の中心には上端が外部空間に位置する第一スプライン軸３９が固定的に設置されており、前記箱２７の左端壁の頂端には第五チャンバ１４が設置されており、前記第五チャンバ１４の中には第五回転軸１６が回転できるように設置されており、前記第五回転軸１６には第二固定輪１５が固定的に設置されており、前記第二固定輪１５には蓋１０が固定的に設置されており、前記蓋１０において前記第一チャンバ２６の中心の端壁の中には下へ開口する第六チャンバ１２が設置されており、前記第六チャンバ１２の右端壁の中には下へ開口する第七チャンバ４０が設置されており、前記第七チャンバ４０と前記第六チャンバ１２の間には連通溝４３が連通して設置されており、前記第七チャンバ４０の頂壁の中には前記第一スプライン軸３９と噛み合う第二スプライン軸４１が回転できるように設置されており、前記第二スプライン軸４１には第三プーリ４２が固定的に設置されており、前記第六チャンバ１２の頂壁の中には第六回転軸１１が回転できるように設置されており、前記第六回転軸１１には第四プーリ１３が固定的に設置されており、前記第四プーリ１３と前記第三プーリ４２とが第二ベルト４４によって接続され、前記第四プーリ１３の底端には第二ネジボルト４７が固定的に設置されており、前記第六チャンバ１２の底端には第二押しブロック４５がスライドできるように設置されており、前記第二押しブロック４５の中には前記ネジボルト４７と噛み合う第二内ネジ山４６が設置されている。
【００１６】
以下、付図１−３及び上記の本願発明の多段調節の便利な持ち帰りパック設備の具体的な構造を参考してその使い方を詳しく説明する：
【００１７】
蓋１０を開け、錫箔を転輪２２の上側に置き、持ち帰り用の箱を転輪２２に載せ、箱を押し、転輪２２が外へスライドして押し棒２３を押し、これにより第一押板３１に箱の前後両端の錫箔を挟ませ、手動で頂端両側の錫箔を畳み込み、この時、箱の上下左右は錫箔に包まれ、前後の端面が小三角に形成する。
【００１８】
蓋１０を閉じ、第二スプライン軸４１と第一スプライン軸３９とが噛み合い、モーター６０を始動し、モーター６０が第二回転軸５９と、第一プーリ５３と、リング５２と第一ネジボルト５８を回転連動させ、リング５２が第一永久磁石５０を回転連動させ、第一永久磁石５０は第二回転軸５９から離れて環状金属４８を接触し、環状金属４８が接触して磁力を発生して第二永久磁石を吸引し、第二永久磁石６８はラック６９を環状金属４８に接近連動させ、ラック６９が円形歯車６２を回転連動させ、円形歯車６２は第二押板６５に小三角を内側へ押させ、同時に第一ネジボルト５８が第一押しブロック５５を連動させて中へ押し込ませ、第一押しブロック５５が重なった小三角を押し、凹み跡を形成して簡単な貼り付けを行う。
【００１９】
同時に第一プーリ５３は第二プーリ３５と、第一傘歯車３６を回転連動させ、第一傘歯車３６は第二傘歯車３８と第一スプライン軸３９を回転連動させ、第一スプライン軸３９は第二スプライン軸４１を回転連動させ、第二スプライン軸４１は第三プーリ４２を回転連動させ、第三プーリ４２は第四プーリ１３と第二ネジボルト４７を回転連動させ、第二ネジボルト４７は第二押しブロック４５を下へスライド連動させ、箱の頂端に重なった錫箔を押し、凹み跡を形成して簡単な貼り付けを行い、パッキングを完了する。
【００２０】
以上により、発明の具体実施方式だけであり、ところが、発明の保護範囲はこれには限らない、創造性労働のない考えた変化や入替えは、発明の保護範囲の中に含むべきである。